(57)【要約】【課題】機能性の良さとデザイン性の良さを兼ね備え、運動機能の低下した者に好適な運動用器具を提供する。【解決手段】運動用器具１は、運動者が座る椅子部３０と、椅子部３０に対向配置されて椅子部３０に座った運動者が足で押圧する板面４０ａを含む押圧部４０と、板面４０ａが足で押圧された際に、椅子部３０と押圧部４０とのうちの少なくともいずれか一方の移動に抗する力を発生させる荷重発生部５０と、を備える。押圧部４０には、板面４０ａから椅子部３０側に離れて配置されるとともに、板面４０ａと平行な方向、且つ、水平方向に延びる水平棒状部４１１が取り付けられている。【選択図】図２
2014171492.tif 000002
【特許請求の範囲】
【請求項１】
運動者が座る椅子部と、
前記椅子部に対向配置されて前記椅子部に座った運動者が足で押圧する板面を含む押圧部と、
前記板面が足で押圧された際に、前記椅子部と前記押圧部のうちの少なくともいずれか一方の移動に抗する力を発生させる荷重発生部と、
を備える運動用器具であって、
前記押圧部には、前記板面から前記椅子部側に離れて配置されるとともに、前記板面と平行な方向、且つ、水平方向に延びる水平棒状部が取り付けられていることを特徴とする運動用器具。
【請求項２】
前記水平棒状部の少なくとも一端側には、先端側が前記押圧部に固定される腕部が設けられていることを特徴とする請求項１に記載の運動用器具。
【請求項３】
前記腕部の先端側は、前記押圧部の側面に取り付けられていることを特徴とする請求項２に記載の運動用器具。
【請求項４】
前記椅子部の一方側面側に前記荷重発生部が配置され、
前記水平棒状部の、少なくとも前記荷重発生部が無い側の端部に、前記腕部が設けられていることを特徴とする請求項２又は３に記載の運動用器具。
【請求項５】
前記水平棒状部の両端に対称的に前記腕部が設けられていることを特徴とする請求項２から４のいずれかに記載の運動用器具。
【請求項６】
略逆Ｕ字状の部材、略逆Ｊ字状の部材、又は、略逆Ｌ字状の部材が、前記押圧部の前記板面に対して傾斜配置され、
前記水平棒状部は、前記押圧部の前記板面に対して傾斜配置される前記部材に含まれていることを特徴とする請求項１に記載の運動用器具。
【発明の詳細な説明】
【技術分野】
【０００１】
本発明は運動用器具に関し、特に、低下した運動機能を回復するために行うリハビリテーション用途に好適な運動用器具に関する。
【背景技術】
【０００２】
従来、足の筋力を強化するための種々の運動用器具が知られている。このような運動用器具の中には、運動者（運動を行う者）を着座させる乗せ部材と、当該乗せ部材に座った運動者が足で押す足押し板を含む足押し部材と、運動者が足押し板を足で押した際に、乗せ部材と足押し部材のうち少なくとも一方が移動することに抗する荷重をかける荷重手段と、を備える運動用器具がある（例えば特許文献１〜３参照）。当該運動用器具は、レッグプレスと呼ばれることがある。
【０００３】
レッグプレスは、健常者ばかりではなく、運動機能が低下した者（例えば高齢者、身体障害者、病人等）のリハビリテーション用にも使用されている（例えば特許文献１参照）。例えば、特許文献１においては、リハビリテーション用途を想定して、足押し板に手すり部を設けることが開示されている。運動機能が低下した高齢者等は、当該手すり部を利用して、乗せ部材への乗り降りを容易に行うことができる。
【先行技術文献】
【特許文献】
【０００４】
【特許文献１】特開２００４−１９４９８６号公報
【特許文献２】特開２００７−４４４２５号公報
【特許文献３】特開２００９−２２５８７０号公報
【発明の概要】
【発明が解決しようとする課題】
【０００５】
ところで、リハビリテーション用途でレッグプレスを使用する者の中には、運動姿勢になった際に、足押し板に足を載せた状態を維持することが困難な者もいる。このような者でも運動を行えるように、例えば特許文献３（図１等）の開示事項を参考に、足押し板の板面に直接固定部材を設けて、当該固定部材で運動者の足を固定することが考えられる。固定部材は、例えばベルトやバンド等で構成することが考えられる。
【０００６】
しかしながら、足押し板の板面上に直接固定部材が設けられる構成にすると、固定部材を使用しなくても運動姿勢を保てる者が、当該固定部材を邪魔に感じることがある。また、デザインの観点から、バンドやベルト等で構成される固定部材を足押し板の板面上に直接設けることは、必ずしも好ましくないと考えられる。
【０００７】
以上の点に鑑みて、本発明の目的は、機能性の良さとデザイン性の良さを兼ね備え、運動機能の低下した者に好適な運動用器具を提供することである。
【課題を解決するための手段】
【０００８】
上記目的を達成するために本発明の運動用器具は、運動者が座る椅子部と、前記椅子部に対向配置されて前記椅子部に座った運動者が足で押圧する板面を含む押圧部と、前記板面が足で押圧された際に、前記椅子部と前記押圧部のうちの少なくともいずれか一方の移動に抗する力を発生させる荷重発生部と、を備える運動用器具であって、前記押圧部には、前記板面から前記椅子部側に離れて配置されるとともに、前記板面と平行な方向、且つ、水平方向に延びる水平棒状部が取り付けられている構成（第１の構成）になっている。なお、前記水平棒状部は、前記押圧部の上部側（上端部近傍）に設けられるのが好ましい。
【０００９】
本構成においては、椅子部に座った運動者から見て、水平棒状部は、左右方向に長く、運動者に近づけられた位置に配置されている。このために、本構成の水平棒状部は、手すりとしての機能を発揮し易い。また、押圧部に設けられた水平棒状部は、運動者の足を押圧部の板面上に維持させるためのベルトを、運動者に無理なく適用するためのベルト止めとして使用し易い。したがって、本構成の運動用器具は、運動機能の低下した者（高齢者、身体障害者、病人等）のリハビリテーション用の運動器具として好適である。更に、本構成の水平棒状部は、手すり兼ベルト止めとして好適であるために、これらの機能を備える部材を別々に設ける必要がなく、押圧部をすっきりしたデザイン性の良いものにし易い。なお、ベルトは、水平棒状部に着脱式にできる。このようにすれば、ベルトを使用しない者がベルトを邪魔と感じたり、使用しないベルトがデザイン性を損なったりするということも抑制できる。
【００１０】
上記第１の構成の運動用器具において、前記水平棒状部の少なくとも一端側には、先端側が前記押圧部に固定される腕部が設けられている構成（第２の構成）を採用するのが好ましい。なお、前記腕部は、斜め下方に向けて延びる部分を有するのが好ましい。本構成によれば、運動者が手すりとして利用できる範囲が広がるために、運動機能の低下した者に対して更に好適な運動用器具を提供できる。
【００１１】
上記第２の構成の運動用器具において、前記腕部の先端側は、前記押圧部の側面に取り付けられている構成（第３の構成）であるのが好ましい。本構成によれば、水平棒状部の左右方向（運動者から見た表現）の長さを長くし易く、水平棒状部に手すりとしての機能や、ベルト止めとしての機能を発揮させ易い。
【００１２】
上記第２又は第３の構成の運動用器具において、前記椅子部の一方側面側に前記荷重発生部が配置され、前記水平棒状部の、少なくとも前記荷重発生部が無い側の端部に、前記腕部が設けられている構成（第４の構成）が採用されるのが好ましい。本構成によれば、運動機能の低下した運動者が特に手すりを必要とする位置に腕部が設けられている構成であるために、運動機能の低下した者に対して好適な運動用器具を提供できる。
【００１３】
上記第２から第４のいずれかの構成の運動用器具において、前記水平棒状部の両端に対称的に前記腕部が設けられている構成（第５の構成）が採用されてもよい。本構成によれば、機能性の良さと、デザイン性の良さとを両立し易い。
【００１４】
上記第１の構成の運動用器具において、略逆Ｕ字状の部材、略逆Ｊ字状の部材、又は、略逆Ｌ字状の部材が前記押圧部の前記板面に対して傾斜配置され、前記水平棒状部は、前記押圧部の前記板面に対して傾斜配置される前記部材に含まれている構成（第６の構成）であってよい。
【発明の効果】
【００１５】
本発明によれば、機能性の良さとデザイン性の良さを兼ね備え、運動機能の低下した者に好適な運動用器具を提供できる。
【図面の簡単な説明】
【００１６】
【図１】本発明の実施形態に係るレッグプレスの構成を示す概略斜視図
【図２】本発明の実施形態に係るレッグプレスの構成を示す概略側面図
【図３】本発明の実施形態に係るレッグプレスの構成を示す概略上面図
【図４】本発明の実施形態に係るレッグプレスの使用例を説明するための模式図で、運動者が運動開始時の姿勢になった状態を示す図
【図５】本発明の実施形態に係るレッグプレスの使用例を説明するための模式図で、運動者が運動のために膝を伸ばした状態を示す図
【図６】本発明の実施形態に係るレッグプレスが備えるフットプレート及びその周辺の構成を示す概略正面図
【図７】本発明の実施形態に係るレッグプレスが備えるフットプレート及びその周辺の構成を示す概略側面図
【図８】本発明の実施形態に係るレッグプレスが備える略逆Ｕ字状部材の機能を説明するための図
【図９】本発明の実施形態に係るレッグプレスが備える略逆Ｕ字状部材に代わる部材について説明するための図
【図１０】本発明の実施形態に係るレッグプレスが備える略逆Ｕ字状部材に代わる部材について説明するための図
【発明を実施するための形態】
【００１７】
以下、本発明の実施形態に係る運動用器具について、図面を参照しながら詳細に説明する。以下では、運動用器具がレッグプレスである場合を例に説明する。レッグプレスは、運動者が座った状態で下肢や骨盤帯の運動を行う器具である。本発明の実施形態に係るレッグプレスは、例えば高齢者等の運動機能が低下した者のリハビリテーション用として好適に使用され、当該器具の使用により、立ち上がりや着座動作の改善を図ったり、立位や歩行の安定を図ったりすることができる。
＜レッグプレスの概略構成＞
【００１８】
図１は、本発明の実施形態に係るレッグプレス１の構成を示す概略斜視図である。図２は、本発明の実施形態に係るレッグプレス１の構成を示す概略側面図である。図３は、本発明の実施形態に係るレッグプレス１の構成を示す概略上面図である。図１から図３に示されるように、レッグプレス１は、大きくは、支持フレーム１０と、レール台２０と、椅子部３０と、フットプレート（足押し板）４０と、重錘部５０と、を備えている。フットプレート４０は、本発明の押圧部の一例である。また、重錘部５０は、本発明の荷重発生部の一例である。
【００１９】
なお、以下の説明にあたっては、運動を行うために椅子部３０に座った運動者からみて前方となる側をレッグプレス１の前側とする。また、当該運動者からみて後方となる側をレッグプレス１の後ろ側とする。また、当該運動者から見て右方となる側をレッグプレス１の右側とする。また、当該運動者から見て左方となる側をレッグプレス１の左側とする。
【００２０】
支持フレーム１０には、前後方向に延びるメインフレーム１１が含まれる。メインフレーム１１の、真ん中よりもやや前方及び後端にはレール台用支持フレーム１２ａ、１２ｂが立設されており、その上に、外観が略直方体形状のレール台２０が支持されている。レール台２０上には、椅子部３０が前後方向にスライド可能に支持されている。
【００２１】
椅子部３０には、運動者が臀部を載せる座面部３１と、座面部３１に臀部を乗せて着座した運動者が背もたれとする背もたれ部３２と、が含まれる。また、椅子部３０には、着座した運動者が左右の手で握る把時部３３も含まれている。座面部３１の前後方向の位置、背もたれ部３２の前後方向への傾斜角度、及び、把時部３３の前後方向への傾斜角度は、いずれも調整可能に設けられている。椅子部３０には、レール台２０に沿って移動可能な可動部３４が含まれ、座面部３１や背もたれ部３２は、この可動部３４上に載置されている。
【００２２】
支持フレーム１０の前端部には、２本のフットプレート用支持フレーム１３ａ、１３ｂが立設されている。フットプレート４０は、これら２本のフットプレート用支持フレーム１３ａ、１３ｂに支持され、その板面４０ａが椅子部３０に対向配置されている（図２参照）。フットプレート４０は、椅子部３０に座った運動者が、その板面４０ａを２本の足で押圧できるように設けられた板である。なお、フットプレート４０は、前後方向の傾斜角度を調整可能に設けられている。ただし、フットプレート４０は、前後方向にスライド移動はしない。
【００２３】
支持フレーム１０には、メインフレーム１１の、前端部及び真ん中よりやや前方から、それぞれ右方向に延び出し、重錘部５０に連結される２本の連結フレーム１４ａ、１４ｂが含まれている（図３参照）。重錘部５０の内部には、上下方向に積層される複数のウエイトプレート５１が含まれている。複数のウエイトプレート５１は、運動者から見えるように露出されている。
【００２４】
複数のウエイトプレート５１は、それらを上下方向に貫通するガイドロッド（不図示）に案内されるように配置されている。複数のウエイトプレート５１は、クランプ手段５２によって、最上部から適宜枚数毎に一体化可能になっている。一体化されたウエイトプレート５１は、不図示のワイヤーによって前後方向に移動可能な椅子部３０の一部に連結されている。椅子部３０を後方に移動させると、ウエイトプレート５１が持ち上げられ、椅子部３０の移動に抗する力が発生する。なお、クランプ手段５２によって一体化されていないウエイトプレート５１は、ワイヤーに連結されていない状態になるために、運動者は、運動に使用するウエイトプレート５１の枚数を適宜選択して、運動強度の調整を行うことができる。
【００２５】
その他、レッグプレス１には、レール台用支持フレーム１２ａとフットプレート用支持フレーム１３ａ、１３ｂとの間に配置され、運動姿勢となる前に運動者が足を置くことができる足載せ部６０が含まれている。また、レッグプレス１には、運動者のデータを表示したり、データを入力したりすることが可能なデータ管理部７０が含まれている。
＜レッグプレスの使用例＞
【００２６】
次に、以上のように構成されるレッグプレス１の使用例について、図４及び図５を参照しながら説明する。図４は、本発明の実施形態に係るレッグプレス１の使用例を説明するための模式図で、運動者Ｍが運動開始時の姿勢になった状態を示す図である。図５は、本発明の実施形態に係るレッグプレス１の使用例を説明するための模式図で、運動者Ｍが運動のために膝を伸ばした状態を示す図である。
【００２７】
図４に示すように、運動を開始するにあたって、運動者Ｍは座面部３１に臀部を載せ、背中を背もたれ部３２に当接させる。そして、運動者Ｍは、膝関節や股関節等を所定の角度（例えば９０°等）に曲げた状態として、両足をフットプレート４０に載せる。この際、運動者Ｍは手で把時部３３を握る。
【００２８】
この状態から、運動者Ｍはフットプレート４０を両足で押圧する。これにより、運動者Ｍが座った椅子部３０が、レール台２０に沿って後方に動き出す。椅子部３０が後方に動き出すと、ワイヤーに連結されるウエイトプレート５１（図１等参照）が上昇する。ウエイトプレート５１が持ち上がると、運動者Ｍは、椅子部３０を後方に移動させるにあたって、ウエイトプレート５１（複数の場合もあるし、１つの場合もある）の荷重に抗する力を加える必要が生じる。すなわち、運動者Ｍに対して負荷が発生する。
【００２９】
運動者Ｍは、ウエイトプレート５１の荷重に抗する力を加えながら椅子部３０を後方に動かし、図５に示すように膝関節等を伸ばす。運動者Ｍが膝関節等を伸ばした状態から曲げた状態に戻す動作を行うと（足によってフットプレート４０が押圧されていない状態になると）、ウエイトプレート５１の自重によって椅子部３０が前方に引っ張れる。そして、椅子部３０が前方に移動して、運動者Ｍは、フットプレート４０を押す前の姿勢（図４に示す姿勢）に戻る。運動者Ｍは、この動作を繰り返すことによって、下肢や骨盤の鍛錬を行うことができる。
＜フットプレート及びその周辺の詳細構成＞
【００３０】
本発明の実施形態に係るレッグプレス１の構成及び動作の概略は以上のようであるが、次に、フットプレート４０及びその周辺の詳細構成について説明する。図６は、本発明の実施形態に係るレッグプレス１が備えるフットプレート４０及びその周辺の構成を示す概略正面図である。図７は、本発明の実施形態に係るレッグプレス１が備えるフットプレート４０及びその周辺の構成を示す概略側面図である。
【００３１】
図６及び図７に示すように、フットプレート４０には、略逆Ｕ字状部材４１が、板面４０ａ（運動者Ｍの足で押圧される面）に対して傾いた状態で取り付けられている。略逆Ｕ字状部材４１は、水平棒状部４１１と、水平棒状部４１１の一端から延び出す第１の腕部４１２と、水平棒状部４１１の他端から延び出す第２の腕部４１３とで構成されている。第１の腕部４１２と第２の腕部４１３とは、水平棒状部４１１を２等分する線ＡＸ（図６参照）を基準に対称配置されている。
【００３２】
水平棒状部４１１は、その長手方向が、フットプレート４０の板面４０ａ、及び、水平方向に平行となる方向（図６において左右方向、図７において紙面と垂直な方向）に配置されるとともに、フットプレート４０の板面４０ａから離れて配置されている。水平棒状部４１１が、板面４０ａから離れる方向は、椅子部３０が存在する側である（図２参照）。水平棒状部４１１は、フットプレート４０の上部側中央近傍に設けられる突片４２に固定されている。すなわち、水平棒状部４１１は、フットプレート４０の上部側に位置している。
【００３３】
水平棒状部４１１は、椅子部３０に座った運動者Ｍから見て、左右方向に長く、運動者Ｍに近づけられた位置に配置されている。このために、水平棒状部４１１は、手すりとしての機能を発揮し易い。
【００３４】
第１の腕部４１２及び第２の腕部４１３は、水平棒状部４１１の端部から円弧状に曲げられて斜め下方に延び、それらの先端部は、それぞれフットプレート４０の側面に固定されている。なお、詳細には、２つの腕部４１２、４１３は、フットプレート４０の板面４０ａを正面視した場合に、フットプレート４０からはみ出している。このために、２つの腕部４１２、４１３とフットプレート４０の側部とは、固定片４３を介して連結されている。
【００３５】
また、２つの腕部４１２、４１３がフットプレート４０の側面に固定される位置は、フットプレート４０の長手方向（図６の上下方向）の中央位置よりもやや下寄りになっている。当該固定位置は、特に限定されるものではないが、腕部４１２、４１３が手すりとしての機能を発揮し易い構成とすることや、腕部４１２、４１３が運動者Ｍの邪魔にならない構成とすること等を考慮して決定されるのが好ましい。このように設けられる略逆Ｕ字状部材４１は、運動者Ｍが椅子部３０に座る際や、椅子部３０から立ち上がる際等に、手すりとして使用し易い。
【００３６】
また、略逆Ｕ字状部材４１は、図８に示すように、運動者Ｍの足を固定するためのベルト８０を止めるベルト止めとしても使用できる。例えば、レッグプレス１を使用する運動者の中には、その筋力の低下等が原因で、運動姿勢になった際に、自力で足を持ち上げてフットプレート４０に足を載せた状態を維持することが困難な者もいる。このような者が、レッグプレス１を使用して運動する場合には、図８に示すように、略逆Ｕ字状部材４１をベルト止めとして使用し、運動者Ｍの両足がフットプレート４０に載せられた状態を補助するのが好ましい。
【００３７】
なお、図８では、片足だけがベルト８０で固定されているが、両足が固定されてもよい。また、ベルト８０の位置がずれ難いように、略逆Ｕ字状部材４１に滑り止め（例えば貫通孔、溝、凹凸表面部等）を設けたり、ベルト８０側に滑り止めを設けたりしてよい。
【００３８】
本実施形態の構成では、略逆Ｕ字状部材４１を構成する水平棒状部４１１が、フットプレート４０の板面４０ａから椅子部３０側へと離間配置されている。このために、運動者Ｍの足の固定位置の真上に近い場所からベルト８０が吊るされた状態を得られる。したがって、ベルト８０によって足を固定した場合に、運動者Ｍの足に余計な負担がかかり難いようにできる。
【００３９】
なお、ベルト８０は、必要な時にのみ略逆Ｕ字状部材４１に取り付け、不要な時には略逆Ｕ字状部材４１から取り除かれてよい。このために、ベルト８０を使用しない者がベルト８０を邪魔と感じたり、使用しないベルト８０が、レッグプレス１のデザイン性を損なったりするということを抑制できる。
【００４０】
以上のように、本発明の実施形態に係るレッグプレス１では、手すりとしての機能と、ベルト止めとしての機能との両方の機能を発揮し易い部材（略逆Ｕ字状部材４１）が、フットプレート４０に取り付けられた構成になっている。このために、本実施形態に係るレッグプレス１は、高齢者等がリハビリテーション用途に使用するのに好適と言える。そして、本発明の実施形態に係るレッグプレス１では、これらの２つの機能を発揮するための部材を別々に設けるのではなく、１つに纏めた構成としている。このために、本発明の実施形態に係るレッグプレス１は、低コスト化に有利であるとともに、フットプレート４０の周囲をすっきりとしたデザイン性の良いものにできる。
＜変形例等＞
【００４１】
以上に示した実施形態は本発明の例示であり、本発明の適用範囲は、以上に示した実施形態の構成に限定されるものではない。以上に示した実施形態は、本発明の技術思想の範囲内において適宜変更可能である。
【００４２】
例えば、以上に示した実施形態では、略逆Ｕ字状部材４１を構成する水平棒状部４１１が、平面視した場合に、図６に示すように、板面４０ａと重なる位置に設けられる構成とした。しかし、水平棒状部４１１の位置は、この位置に限らず、図６に示す構成から更に上部側に設けられて、平面視した場合に、板面４０ａと重ならなくてもよい。
【００４３】
また、以上に示した実施形態では、略逆Ｕ字状部材４１を構成する２つの腕部４１２、４１３の先端が、フットプレート４０の側面部に取り付けられる構成としたが、２つの腕部４１２、４１３の先端は、フットプレート４０の表面や裏面に取り付けられてもよい。また、当然ながら、腕部４１２、４１３の長さは、適宜変更されて構わない。
【００４４】
また、以上に示した実施形態では、手すり兼ベルト止めとしての機能を発揮する部材４１の形状は、略逆Ｕ字状とされた。しかしながら、手すり兼ベルト止めとしての機能を発揮する部材は、場合によっては、フットプレート４０の板面４０ａに対して離間配置される水平棒状部４１１のみで形成され、腕部４１２、４１３を有さない構成であってもよい。ただし、腕部４１２、４１３が設けられる方が手で握る領域が増えるために、腕部４１２、４１３は設けられるのが好ましい。
【００４５】
なお、手すり兼ベルト止めとしての機能を発揮する部材は、略逆Ｕ字状部材４１に代えて、例えば図９及び図１０に示すように、略逆Ｌ字状部材４１´や略逆Ｊ字状部材４１´´であってもよい。略逆Ｌ字状部材４１´とされる場合（図９に示す構成の場合）には、水平棒状部４１１の一端側のみに腕部４１２が設けられる構成になる。一端側にのみ設けられる腕部４１２は、水平棒状部４１１の、重錘部５０が設けられない側（左側）の端部に設けられるのが好ましい。これは、運動者Ｍが、重錘部５０が設けられる側から椅子部３０に着座する可能性が低く、こちら側（右側）の腕部の使用可能性が反対側に比べて低いことを考慮するものである。
【００４６】
略逆Ｊ字状部材４１´´とされる場合（図１０に示す構成の場合）には、水平棒状部４１１の両端に設けられる２つの腕部４１２、４１３は非対称になり、長さが異なる構成になる。この場合、水平棒状部４１１の、重錘部５０が設けられない側（左側）の端部に設けられる第１の腕部４１２が、他端側（右側）に設けられる第２の腕部４１３よりも、長さが長いのが好ましい。これは、運動者Ｍが、重錘部５０が設けられる側から椅子部３０に着座する可能性が低く、こちら側（右側）の腕部の使用可能性が反対側に比べて低いことを考慮している。
【００４７】
また、以上に示した実施形態では、椅子部３０が前後方向にスライド移動可能に設けられ、フットプレート４０は前後方向にスライド移動しない構成とした。しかしながら、本発明は、椅子部が前後方向にスライド移動せず、フットプレートが前後方向にスライド移動する構成にも適用可能である。また、本発明は、椅子部及びフットプレートがいずれも前後方向にスライド移動する構成にも適用可能である。
【００４８】
その他、本発明の実施形態に係るレッグプレス１は、運動機能の低下した者に限らず、健常者が使用しても勿論良い。
【符号の説明】
【００４９】
１  レッグプレス（運動用器具）
３０  椅子部
４０  フットプレート（押圧部）
４０ａ  板面
４１  略逆Ｕ字状部材
４１´  略逆Ｌ字状部材
４１´´  略逆Ｊ字状部材
５０  重錘部（荷重発生部）
４１１  水平棒状部
４１２  第１の腕部
４１３  第２の腕部
Ｍ  運動者
【図１】
2014171492.tif 000003
【図２】
2014171492.tif 000004
【図３】
2014171492.tif 000005
【図４】
2014171492.tif 000006
【図５】
2014171492.tif 000007
【図６】
2014171492.tif 000008
【図７】
2014171492.tif 000009
【図８】
2014171492.tif 000010
【図９】
2014171492.tif 000011
【図１０】
2014171492.tif 000012